(57)【要約】【課題】  本発明は、抽出液採取容器の形や大きさや深さ等に余り関係なく使用できる茶漉しで、しかも少量の湯でも茶葉等に湯が行き渡り美味しいお茶等がいれられる茶漉しを提案することである。【解決手段】  抽出液採取容器の開口部より小さい頭部の茶漉しであって、柔軟性のある漉し網と可撓性のある足でもって、裾が広く容積のが大きい茶漉しが使用可能な抽出液採取器具を解決手段とする。【選択図】      図１
2013230168.tif 000002
【特許請求の範囲】
【請求項１】
抽出液採取容器の開口部より小さいリング部材の頭部に開口部を有し、柔軟性材料の袋状の漉し網からなる茶漉しを備えたことを特徴とする抽出液採取器具
【請求項２】
リング部材の頭部の周囲に略等間隔で頭部から前記漉し網の底部まで伸びる可撓性材料からなる複数の足を設けたことを特徴とする請求項1に記載の抽出液採取器具
【請求項３】
漉し網は裾広がりの袋状であることを特徴とする請求項1または2のいずれかに記載の抽出液採取器具
【請求項４】
リング部材の頭部の上端周縁に外向きのツバを設けたことを特徴とする請求項1から3のいずれかに記載の抽出液採取器具
【請求項５】
柔軟性材料からなる袋状の漉し網の底部に整形部材を固着したことを特徴とする請求項1から4のいずれかに記載の抽出液採取器具
【請求項６】
漉し網と足は固着されていることを特徴とする請求項2から5のいずれかに記載の抽出液採取器具
【請求項７】
リング部材の頭部に略垂直の把手を上に突き出るように設けたことを特徴とする請求項1から6のいずれかに記載の抽出液採取器具
【発明の詳細な説明】
【技術分野】
【０００１】
本発明は、上部に常時開口状態の開口部を有し、収納した茶葉等に注湯して成分を抽出し、茶殻等と抽出液を分離する茶漉しと該茶漉しを抽出液採取容器に装着した抽出液採取器具に関するものである。
【背景技術】
【０００２】
抽出液採取器具として急須等は優れているが、茶殻等と抽出液を分離する機構や蓋を載置する構造等が要求されて、急須等の構造が複雑化して、茶殻等が処理しにくく、その結果、急須等の清潔さも保たれにくい。
【０００３】
それ故に、急須等の注ぎ口の根元近くの濾過資材の着脱を可能にしたり、注湯口の開口部を出来る限り広くしたり、更には蓋の載置部が開口部の内側に出っ張らないようにする工夫もされている。
【０００４】
又、急須等の注湯口となる開口部に該開口部より大きな頭部を有する茶漉しを吊り下げる形式で装着し、茶葉等の収納と茶殻等の処理をする茶漉しを考案し、これにより急須等の構造も簡単にする方法もとられている。
【０００５】
しかしながら急須等の構造的改良は不十分であり、吊り下げ形の茶漉しも欠点がある。第1の欠点は、抽出液採取容器の内底と茶漉しの底の間に隙間が生じて、抽出液が少量の場合、茶葉等に十分湯が浸漬しない事である。第2の欠点は、抽出液採取容器の開口部の蓋の載置部に茶漉しのツバを載置する為、載置巾が3〜5mm程度と狭く、該採取容器と茶漉しの適合範囲が非常に狭いことである。第3の欠点は茶漉しが裾窄みで、茶葉等が積み重なった状態になり、成分抽出が十分出来ないことである。
【先行技術文献】
【特許文献】
【０００６】
【特許文献１】登録実用新案第３１５７１５７号公報
【特許文献２】特開２００４−３５８１６４号公報
【特許文献３】特開２００６−３０４９７８号公報
【発明の概要】
【発明が解決しようとする課題】
【０００７】
前述の公知茶漉しの欠点である、抽出液採取容器の内底と茶漉しの底の間の隙間が生じないようにして、少量の湯の場合にも茶葉等に湯が浸り成分抽出が十分行われること。又、抽出液採取容器の大きさや深さや開口部の大きさ等に余り縛られない、いろいろな該採取容器に使用できる茶漉しで、更に茶漉しの容積を大きくして出来る限り全ての茶葉等に湯が十分当たるようにして、成分抽出を十分したい。これらの課題を解決する茶漉しを備えた抽出液採取器具を提案することを課題とする。
【課題を解決するための手段】
【０００８】
抽出液採取容器の開口部より小さいリング部材の頭部を有した柔軟性材料の袋状の漉し網からなる茶漉しで、茶漉しには可撓性材料の足を設けて、自立出来るようにすると共に、該足等を横方向より押圧すると茶漉しの胴回りや裾廻りの大きさが変わる構造にすることで、該採取容器の開口部より大きな裾廻りを持つ茶漉しも使用可能になる。
【発明の効果】
【０００９】
抽出液採取容器の開口部より小さい頭部を持つ茶漉しであるが為に、裾窄みの茶漉しであれば、そのままの状態で該採取容器の内底に直接置いて装着出来るし、裾広がりの該採取容器の開口部より大きい茶漉しの場合にも、柔軟性材料の漉し網と可撓性材料の足の性能により茶漉しの胴回りや裾廻りを該採取容器の開口部の大きさまで変化可能で、直接該採取容器の内底に直接装着出来ることで、茶漉しの底と該採取容器の内底に隙間が生ずることがない。
【００１０】
又、本発明の茶漉しの頭部が抽出液採取容器の開口部より小さいという条件を満たせば、該採取容器の内底に直接触れて装着出来ることと、装備した足により自立出来ることから、本発明の茶漉し1個でいろいろな抽出液採取容器に対応出来ることになる。
【００１１】
更に抽出液採取容器の開口部が小さくてもその開口部より大きな裾廻りの茶漉しが使用出来ることで、茶葉等の成分抽出に必要な茶漉しの大きな容積が確保出来る。
【図面の簡単な説明】
【００１２】
【図１】本発明の茶漉しと急須の抽出液採取器具を示した斜視図である。但し、急須は断面の斜視図とした。
【図２】本発明の茶漉しとマグカップの抽出液採取器具を示した斜視図である。但し、マグカップは断面の斜視図とした。
【図３】本発明の茶漉しを示した斜視図である。
【図４】本発明の茶漉しを示した斜視図である。
【発明を実施するための最良の形態】
【００１３】
図1は本発明を実施する最良の形態を示すが、抽出液採取容器である急須10は図面の煩雑さを避ける為に断面の斜視図とした。茶漉し1は柔軟性材料のナイロン紗の漉し網を裾広がりの略円錐台に成形し、上部開口部の外周縁に可撓性の耐熱樹脂製リング部材の頭部3を固着した。相対する足4と4’は頭部3と一体で漉し網2の下端まで伸びている。略円錐台に成形した漉し網2の下端の周縁に漉し網2と同材の扁平の漉し網6を固着して塞いで袋状にした。茶漉しの頭部3には把手5を設けて、深い急須等にも対応出来るようにした。
【００１４】
急須10の開口部は、蓋の載置部が内側に張り出して狭くなっているが、本発明の裾広がりの茶漉し1では可撓性材料の足4と4’を挟むように押圧し足4と足4’の間隔を急須10の開口部の大きさまで縮めて通過させ、押圧を止めて元の足の間隔に戻し、急須10の内底に直接置いて装着した。茶漉しを急須10より取り出す時は、急須10の開口部の内壁に足を押し当てるように押圧すれば脱着できる。
【００１５】
この実施例では、茶漉し1の漉し網2と6はどちらも足4と4’のいずれにも固着されていない。よって、漉し網の袋が開口部より内外の状態で飛び出す。従って茶殻処理の際、洗浄が十分出来る。
【００１６】
尚、漉し網と足は勿論固着可能であり、又、茶漉し底部の漉し網を平に維持する為の整形部材を固着することも可能であり、又、扁平の漉し網6の代わりに略
逆円錐形等の漉し網にすることは可能であることは記しておきます。
【実施例１】
【００１７】
図2は実施例1の抽出液採取器具の斜視図である。但し、抽出液採取容器のマグカップは図面の煩雑さを避ける為に断面の斜視図とした。茶漉し21は可撓性材料の耐熱性樹脂のリング部材の頭部23と該頭部23と一体で相対する足と足の間隔が下方に広がって伸びる足24と24’を成形し、該頭部23と該足24と24’のつくる側面は柔軟性材料のナイロン紗の漉し網22と22’を頭部23と足24と24’のそれぞれに固着して略円錐台形に塞ぎ、底部も同材の扁平の漉し網26を足24と24’と漉し網22と22’に固着して裾広がりの袋状にした。この実施例のマグカップ30は茶漉しより深い為、把手25が茶漉しの操作には必要である。
【００１８】
尚、底部の漉し網26を平に維持する為の整形部材を底部漉し網26に固着することは可能であり、又、マグカップ30に装着した茶漉し21の安定を得る為に把手25にフックを設けてマグカップ30の開口部に掛けることも考えられる。
更に扁平の漉し網26の代わりに略逆円錐形等の漉し網にすることも考えられる。
【実施例２】
【００１９】
図3は実施例2の本発明の茶漉しの斜視図である。尚、抽出液採取容器に茶漉しを装着した抽出液採取器具の図は省略した。
茶漉し31は、可撓性材料の耐熱性樹脂リング部材の頭部33と該頭部33と一体で、相対する足と足の間隔が下方に広がって伸びる足34と34’を成形し、該頭部33と該足34と34’が作る側面は、柔軟性材料のナイロン紗の漉し網32と32’を頭部33と足34と34’のそれぞれに固着して略円錐台形に塞ぎ、底部も同材の扁平の漉し網36を足34と34’と漉し網32と32’に固着して塞ぎ、裾広がりの袋状にし、頭部33の上端周縁に外向きのツバ35を設けた。尚、底部漉し網36の外側に漉し網36を平に維持する目的で整形部材39を固着した。
【００２０】
この茶漉し31は抽出液採取容器の上部開口部に載置して吊り下げる従来の形式の為に、該採取容器の内底と茶漉し31の底に隙間は生ずる。しかし、従来の茶漉しと異なり、本発明の茶漉しは胴部や裾部又底部の大きさを変えることが出来る為、該採取容器の開口部より大きな裾廻りの茶漉しも装着可能になり、装着後は元の大きさの裾広がりの茶漉しになる。依って公知茶漉しのように裾窄みの茶漉しより茶葉等の成分抽出の条件は良いことになる。尚、扁平の漉し網36の代わりに略逆円錐形等の漉し網にすることや、底部整形の為の整形部材を固着することは可能である。
【実施例３】
【００２１】
図4は実施例3の本発明の茶漉しの斜視図である。尚、抽出液採取容器に茶漉しを装着した抽出液採取器具の図は省略した。
茶漉し41は柔軟性材料のナイロン紗の漉し網42を裾広がりの略円錐台形に整形し、底部には同材のナイロン紗の扁平の漉し網45を漉し網42に固着して塞いで袋状にし、上部開口部に耐熱性樹脂製リング部材の頭部43を固着し、頭部43の上端外周縁に外向きのツバ44を設けた。尚、底部漉し網45の外側に漉し網45を平に維持する目的で整形部材46を固着した。実施例3の整形部材46は上部開口部より小さい為、漉し網42と45が該開口部より内外の状態で飛び出すので、茶殻等の処理が簡単である。又、扁平の漉し網45の代わりに略逆円錐形等の漉し網にすることや底部整形の為の整形部材を固着することは可能である。
【００２２】
尚、当実施例の茶漉しは柔軟性材料の漉し網であるが為、深さを変えることが出来て、茶漉しの深さより浅い抽出液採取容器の場合でも、該採取容器の開口部に茶漉しのツバが適合すれば使用可能である。
【産業上の利用可能性】
【００２３】
本発明の茶漉しの頭部より大きな開口部を有する抽出液採取容器であれば使用可能で、しかも湯量に余り左右されず茶葉等に湯が触れ成分抽出が十分され、美味しいお茶等をいれることが出来る。更に茶漉しの容積が公知の裾窄みの茶漉しに較べて大きいので成分抽出の条件が良い。このような茶漉しが大きな投資をすることもなく出来るので、産業の利用可能性は大きいと考える。
【符号の説明】
【００２４】
１        茶漉し本体
２        柔軟性材料のナイロン紗の漉し網
３        リング部材の可撓性の耐熱樹脂製頭部
４、4’    相対する可撓性の耐熱樹脂製足
５        茶漉しの把手
６        柔軟性材料のナイロン紗の漉し網
７        頭部と漉し網の固着部
８        茶漉し側壁の漉し網と底部の漉し網の固着部
９        急須の断面
10        急須本体
11        急須の把手
12        急須の注ぎ口
21        茶漉し本体
22、22’    相対する柔軟性材料のナイロン紗の漉し網
23        リング部材の可撓性の耐熱樹脂製頭部
24、24’    相対する可撓性の耐熱樹脂製足
25        茶漉しの把手
26        柔軟性材料のナイロン紗の漉し網
27        頭部と漉し網及び足と漉し網の固着部
28        茶漉し側壁の漉し網と底部漉し網の固着部及び足と底部漉し網の固着部
29        マグカップの断面
30        マグカップ本体
31        茶漉し本体
32、32’    相対する柔軟性材料のナイロン紗の漉し網
33        リング部材の可撓性の耐熱樹脂製頭部
34、34’    相対する可撓性の耐熱樹脂製足
35        ツバ
36        柔軟性材料のナイロン紗の漉し網
37        頭部と漉し網及び足と漉し網の固着部
38        茶漉し側壁の漉し網と底部漉し網の固着部及び足と底部漉し網の固着部
39        整形部材
41        茶漉し本体
42        柔軟性材料のナイロン紗の漉し網
43        リング部材の頭部
44        ツバ
45        柔軟性材料のナイロン紗の漉し網
46        整形部材
【図１】
2013230168.tif 000003
【図２】
2013230168.tif 000004
【図３】
2013230168.tif 000005
【図４】
2013230168.tif 000006